(57)【特許請求の範囲】
【請求項１】
入隅部を形成する２壁面に個々に固定される２本の水切り間に介在され、該入隅部に設けられる入隅部用水切りであって、
入隅部に設けられた状態で該入隅部との間に空隙が形成されるようになされた本体部と、
この本体部の両端側に一体的に設けられ、上記２本の水切りに個々に固定される一対の固定部と、
を備えていることを特徴とする入隅部用水切り。
【発明の詳細な説明】
【０００１】
【発明の属する技術分野】
この発明は、入隅部を形成する２壁面に個々に固定される２本の水切り間に介在され、該入隅部に施工される入隅部用水切りに関し、特に、入隅部を構成する壁面の表面に防水シートが設けられる場合に好適な入隅部用水切りに関する。
【０００２】
【従来の技術】
ルーフバルコニー等の風雨に曝される屋外の壁面には、その表面に防水シートが添着される。このような壁面同士が出会う入隅部においては、通常、各壁面に添着された防水シートの端縁部同士を重ね合わせるか、または該端縁部同士を突き合わせるとともにその上から帯状の防水シートを張り付けるなどして、この部分での防水を図っている。このような防水処理を入隅部において施した場合、必然的に入隅部に沿って凸条が形成されることになる。
【０００３】
ところで、従来の入隅部における水切りの施工方法は、一般に、２本のうちの一方の水切りを、いずれか一方の壁面に、一端面が他方の壁面に当接するよう取り付けた後、残りの水切りをその一端面が前記一方の水切りの表面に当接するようにして取り付ける、というものであった。
【０００４】
【発明が解決しようとする課題】
しかしながら、上記従来の施工方法を、前記したような防水処理が施されてなる入隅部に採用した場合、水切りの端部が前記凸条に乗り上げてしまい、このため、その部分での水切りの収まりが極めて悪いものとなり入隅部における水切り端部の固定が確実に行えないといった問題があった。
【０００５】
この発明は、上記したような問題点に鑑みてなされたもので、入隅部において前記の防水処理により凸条が形成されていても、水切りの端部を収まりよく壁面に取り付けることのできる入隅部用水切りを提供することを目的とする。
【０００６】
【課題を解決するための手段】
上記目的を達成するため、この発明の入隅部用水切りは、入隅部を形成する２壁面に個々に固定される２本の水切り間に介在され、該入隅部に設けられる入隅部用水切りであって、入隅部に設けられた状態で該入隅部との間に空隙が形成されるようになされた本体部と、この本体部の両端側に一体的に設けられ、上記２本の水切りに個々に固定される一対の固定部とを備えたものである。
【０００７】
【発明の実施の形態】
以下、この発明の実施の形態について図面を参照して説明する。
【０００８】
図１は、この発明に係る入隅部用水切りを示す斜視図、図２は、その入隅部用水切りが設けられる入隅部及び入隅部用水切りの設置状態を示す斜視図、図３は、入隅部用水切りの設置状態を示す平面図、図４は水切りの一例を示す分解部分斜視図である。
【０００９】
入隅部用水切り１０は、図２及び図３に示すように、入隅部αを形成する２壁面５，６に個々に固定される２本の水切り９，９間に介在され、該入隅部αに設けられるものである。
【００１０】
この入隅部用水切り１０は、図１に示すように、本体部１０１と、この本体部１０１の両端側に一体的に設けられた一対の固定部１０２，１０２とを備えたものである。
【００１１】
本体部１０１は、上端面及び下端面がそれぞれ開放された、内部が空洞のものである。この本体部１０１の背面１０１ａは、壁面５，６側に向けられる面であり、入隅部αに設けられた状態で入隅部αとの間に、壁面５，６上の防水シート５０，６０の防水処理によって生じた凸条８を収めきるだけの、換言すれば凸条８と干渉しない程度の空隙Ｋが形成されうるよう、円弧状に形成されている。なお、この背面１０１ａの形状は円弧状である必要はなく、上記凸条８を収めきるだけの空隙Ｋを入隅部αとの間に確保できるのであれば、その他の曲線や直線等他の形状であってもよい。また、図示例のように全体が円弧状である必要もなく、例えば２つの直線部分とそれに挟まれる円弧部分とから構成される形状、つまり角を丸めたような形状や、３つの直線部分から構成される形状、つまり角を面取りしたような形状であってもよい。
【００１２】
本体部１０１の両端面１０１ｃ，１０１ｄは共に平板状に形成されている。これら両端面１０１ｃ，１０１ｄは、各対応する壁面５，６とそれぞれ略直交するようにその向きが設定される。なお、両端面１０１ｃ，１０１ｄはこのように平板状である必要はなく、水切り９の端面の形状に応じて、水切り９と外観よく接続しうる形状であれば任意である。
【００１３】
本体部１０１の前面１０１ｂは、この例の場合、背面１０１ａと並行する円弧状に形成されている。なお、この前面１０１ｂは、いわゆる化粧面であるので、この例のような円弧状である必要はなく、任意の形状を採り得る。
【００１４】
固定部１０２は、後述する２本の水切り９，９にそれぞれ固定される部分である。これら固定部１０２は、それぞれ両端面１０１ｃ，１０１ｄから略直角に突設されている。この例では固定部１０２は平板状に形成されているが、その形状は水切り９，９の形態に応じて適宜変更される。
【００１５】
次に、上記のようになる入隅部用水切り１０を用いた入隅部αにおける水切り９の施工方法について説明する。その前にまずここで例示する水切り９について図４を参照して説明しておく。
【００１６】
図示例の水切り９は、壁面５，６に固定される本体９１と、この本体９１に係合されるカバー９２とから構成されたものである。本体９１は、ビス又は釘Ｂが挿通される透孔Ｈが形成された基板部９１ｂと、この基板部９１ｂの上縁側及び下縁側に対峙して形成されたカバー被係合部９１ｃ，９１ｄと、基板部９１ｂの上縁から上方へ立ち上げ形成されたシーリング受け部９１ａとを有している。さらに、基板部９１ｂの背面には防水マット９３が装着されている。一方、カバー９２は、基板部９１ｂのカバー被係合部９１ｃ，９１ｄと係合する係合部９２ａ，９２ｂを有している。このカバー９２を、壁面５，６に固定された本体９１に係合することによりビス又は釘Ｂの頭が被覆されるようになっている。
【００１７】
このようになる水切り９を施工する場合、まず、壁面５，６上にそれぞれ防水シート５０，６０を張り付けるとともに、防水シート５０，６０の端縁部同士を重ね合わせるか、または端縁部同士を突き合わせるとともにその上から帯状の防水シートを張り付けるなどして、この部分での防水を行う。これによって入隅部αには凸条８が形成されることになる。
【００１８】
次に、入隅部用水切り１０の一方の固定部１０２を一方の水切り９の基板部９１ｂと防水マット９３との間に差込み、その状態で水切り９と入隅部用水切り１０とを一方の壁面５（６）にあてがい、ビス又は釘Ｂを基板部９１ｂの透孔Ｈから壁面５（６）に挿着して水切り９と入隅部用水切り１０とを固定する。
【００１９】
続いて、もう一方の水切り９を上記と同様の要領で入隅部用水切り１０の他方の固定部１０２に固定してから、その水切り９をビス又は釘Ｂで固定する。
【００２０】
これにより２本の水切り９と入隅部用水切り１０とが一体的に、しかもいずれの水切り９，１０も凸条８と一切干渉することなく入隅部αに取り付けられたことになり、これをもって施工を完了する。
【００２１】
なお、水切り９の基板部９１ｂに形成される透孔Ｈの位置を、ちょうど入隅部用水切り１０の固定部１０２が差し込まれてくる位置に対応させておけば、ビス又は釘Ｂを壁面５（６）に挿着した際、ビス又は釘Ｂが固定部１０２を貫通することになり、これによって入隅部用水切り１０をよりしっかりと入隅部αに固定できる。
【００２２】
また、上記した例では本体部１０１を空洞としているが、中実のものであってもよい。
【００２３】
【発明の効果】
以上説明したように、この発明の入隅部用水切りを用いれば、入隅部における防水シートの防水処理によって生じた凸条から水切りの端部を引き離すことができるので、水切りの端部の収まりが良好なものとなり、該端部を壁面に確実に仕上りが美しく固定することができる。
【００２４】
また、入隅部用水切りは、その本体部が、入隅部との間に空隙が形成されるように構成されているので、それ自体上記凸条と干渉することなく入隅部に取り付けることができる。
【００２５】
さらに、一対の固定部を備えているため、それに接続される水切りによって入隅部に固定することができる。したがって、専用の固定金具等の部材が不要であるとともに、施工性に優れている。
【図面の簡単な説明】
【図１】この発明に係る入隅部用水切りを示す斜視図である。
【図２】その入隅部用水切りが設けられる入隅部及び入隅部用水切りの設置状態を示す斜視図である。
【図３】その入隅部用水切りの設置状態を示す平面図である。
【図４】水切りの一例を示す分解部分斜視図である。
【符合の説明】
５  壁面
６  壁面
９  水切り
１０  入隅部用水切り
１０１  本体部
１０２  固定部
α  入隅部
Ｋ  空隙
【図１】
0003592063.tif 000002
【図２】
0003592063.tif 000003
【図３】
0003592063.tif 000004
【図４】
0003592063.tif 000005